(57)【要約】【課題】紙処理を停止させることなく、事務所内に設置した場合であっても容易に水を補給することが可能な紙処理装置を提供する。【解決手段】本発明に係る紙処理装置３０は、溶液が貯留された溶解槽５１内に廃紙を投入し、ファイバ状に解繊された廃紙の溶解液を、主ポンプ７１により圧縮部６０へ搬送し、圧縮部６０により溶解液中の溶解物をブロック状にプレス成形し、プレス成形された溶解物ブロックを回収する。溶解槽５１へ供給する溶液を貯留する、二以上の溶液タンク５６と、溶液タンク５６のそれぞれに貯留されている溶液を溶解槽５１へ供給する溶液ポンプ５７とを有し、溶液タンク５６に貯留されている溶液の量が所定値以下であることを検知する検知手段５６１と、溶液の量が所定値以下であることを検知した場合に、溶解槽５１へ溶液を供給する溶液タンク５６を切り替える切替手段７０とを備える。【選択図】図２
2017176983.tif 000002
【特許請求の範囲】
【請求項１】
溶液が貯留された溶解槽内に廃紙を投入し、
ファイバ状に解繊された廃紙の溶解液を、主ポンプにより圧縮部へ搬送し、
該圧縮部により溶解液中の溶解物をブロック状にプレス成形し、
プレス成形された溶解物ブロックを回収する紙処理装置であって、
前記溶解槽へ供給する溶液を貯留する、二以上の溶液タンクと、
前記溶液タンクのそれぞれに貯留されている溶液を前記溶解槽へ供給する溶液ポンプと
を有し、
前記溶液タンクに貯留されている溶液の量が所定値以下であることを検知する検知手段と、
該検知手段が、前記溶液タンクに貯留されている溶液の量が所定値以下であることを検知した場合、前記溶解槽へ溶液を供給する前記溶液タンクを切り替える切替手段と
を備えることを特徴とする紙処理装置。
【請求項２】
前記溶液ポンプの稼働時間を累積計時する計時手段を備え、
前記検知手段は、一の溶液タンクの前記溶液ポンプの累積計時された時間が所定時間を超えた場合、前記切替手段に他の溶液タンクの前記溶液ポンプへの切替指示を送信することを特徴とする請求項１に記載の紙処理装置。
【請求項３】
前記溶液タンクの液面高さを検知する液面センサを備え、
前記検知手段は、一の溶液タンクの前記液面センサで検知された液面高さが所定値を下回った場合、前記切替手段に他の溶液タンクの前記溶液ポンプへの切替指示を送信することを特徴とする請求項１に記載の紙処理装置。
【請求項４】
前記溶液ポンプが切り替わった旨を示すインジケータを前記溶液タンクごとに備えることを特徴とする請求項１乃至３のいずれか一項に記載の紙処理装置。
【発明の詳細な説明】
【技術分野】
【０００１】
本発明は、会社、事務所等で生ずる膨大な量の廃紙を、室内で処理して溶解物ブロックとして回収する紙処理装置に関する。
【背景技術】
【０００２】
企業の日常の業務においては、日々膨大な量の廃紙が生じる。書類によっては、機密保持の観点からそのまま捨てることができない書類も存在し、従来は書類の焼却、あるいは書類断裁機による細断により処理しているのが現状であった。
【０００３】
しかし、焼却による処理方法では、少なくとも市街地においては、安全の観点、排煙処理の観点から実際に行うことは困難である。また、書類断裁機による処理方法では、機密保持等の観点からは有効であるものの、廃紙を乾燥状態で細断するため、同時に廃紙の繊維をも切断してしまい、細断後の廃紙を再生紙の原料とする等、効果的に利用することが困難になる。さらに、細断された紙片の保管、運搬等の処理も分量によっては容易ではない。
【０００４】
そこで、廃紙を界面活性剤溶液中において撹拌機を回転させ、回転により発生する旋回流中で解繊して、解繊物の懸濁水を得た後、解繊物の懸濁水を圧力容器内に導入してシリンダにより圧縮し、除水して、所定の大きさの解繊物ブロックに成形する廃紙処理装置が開発されている。解繊物ブロックに成形して処理することにより、処理後の廃棄物の保管、運搬等が容易であり、しかも再生紙の原料として好適であるため、回収率及び古紙パルプの生産収率を高めることが可能である（特許文献１、２参照）。
【先行技術文献】
【特許文献】
【０００５】
【特許文献１】特開平０５−２００３７７号公報
【特許文献２】特許第３２９５８６５号公報
【発明の概要】
【発明が解決しようとする課題】
【０００６】
しかし、事務所内では廃紙を連続して処理する必要があるのに対して、適切なタイミングで水を補給することは困難である。廃紙を処理するための水を補給する場合、従来は紙処理装置本体を停止させて補給タンクを取り外して給水する、あるいは水道栓と直結しておくことで補給タンクの取り外しを不要としていた。しかし、通常の事務所内に水道栓を設けることは考えにくく、万一設けられていた場合であっても、蛇口近傍からの水漏れのおそれがあり、通常の事務所内に設置すること自体が困難になるという問題点があった。
【０００７】
本発明は斯かる事情に鑑みてなされたものであり、紙処理を停止させることなく、事務所内に設置した場合であっても容易に水を補給することが可能な紙処理装置を提供することを目的とする。
【課題を解決するための手段】
【０００８】
上記目的を達成するために第１発明に係る紙処理装置は、溶液が貯留された溶解槽内に廃紙を投入し、ファイバ状に解繊された廃紙の溶解液を、主ポンプにより圧縮部へ搬送し、該圧縮部により溶解液中の溶解物をブロック状にプレス成形し、プレス成形された溶解物ブロックを回収する紙処理装置であって、前記溶解槽へ供給する溶液を貯留する、二以上の溶液タンクと、前記溶液タンクのそれぞれに貯留されている溶液を前記溶解槽へ供給する溶液ポンプとを有し、前記溶液タンクに貯留されている溶液の量が所定値以下であることを検知する検知手段と、該検知手段が、前記溶液タンクに貯留されている溶液の量が所定値以下であることを検知した場合、前記溶解槽へ溶液を供給する前記溶液タンクを切り替える切替手段とを備えることを特徴とする。
【０００９】
第１発明では、溶解槽へ供給する溶液を貯留する、二以上の溶液タンクと、溶液タンクのそれぞれに貯留されている溶液を溶解槽へ供給する溶液ポンプとを有している。溶液タンクに貯留されている溶液の量が所定値以下であることを検知した場合、溶解槽へ溶液を供給する溶液タンクを切り替える。これにより、一の溶液タンクに貯留されている溶液の量が少なくなった場合には、他の溶液タンクに切り替えることができ、紙処理を停止させることなく、一の溶液タンクに溶液を補給することが可能となる。また、水道栓と接続する必要がないので、事務所等の水道栓が存在しない場所でも容易に設置することができるとともに、水漏れのおそれが少ない。
【００１０】
また、第２発明に係る紙処理装置は、第１発明において、前記溶液ポンプの稼働時間を累積計時する計時手段を備え、前記検知手段は、一の溶液タンクの前記溶液ポンプの累積計時された時間が所定時間を超えた場合、前記切替手段に他の溶液タンクの前記溶液ポンプへの切替指示を送信することが好ましい。
【００１１】
第２発明では、一の溶液タンクの溶液ポンプの累積計時された時間が所定時間を超えた場合、他の溶液タンクの溶液ポンプへの切替指示を送信する。これにより、溶液タンクを設置してからの溶液ポンプの累積稼働時間を知ることができるので、一定量の溶液を使用した時間で溶液タンクの中の溶液が少なくなっていることを検知することができる。
【００１２】
また、第３発明に係る紙処理装置は、第１発明において、前記溶液タンクの液面高さを検知する液面センサを備え、前記検知手段は、一の溶液タンクの前記液面センサで検知された液面高さが所定値を下回った場合、前記切替手段に他の溶液タンクの前記溶液ポンプへの切替指示を送信することが好ましい。
【００１３】
第３発明では、一の溶液タンクの液面高さが所定値を下回った場合、他の溶液タンクの溶液ポンプへの切替指示を送信する。これにより、溶液ポンプが稼働可能な水量の下限値に到達したか否かを検知することができ、溶液ポンプが空転する前に溶液タンクを切り替えることが可能となる。
【００１４】
また、第４発明に係る紙処理装置は、第１乃至第３発明のいずれか１つにおいて、前記溶液ポンプが切り替わった旨を示すインジケータを前記溶液タンクごとに備えることが好ましい。
【００１５】
第４発明では、溶液ポンプが切り替わった旨を示すインジケータを溶液タンクごとに備えるので、溶液を補給するべき溶液タンクを目視で確認することが可能となる。
【発明の効果】
【００１６】
本発明によれば、一の溶液タンクに貯留されている溶液の量が少なくなった場合には、他の溶液タンクに切り替えることができ、紙処理を停止させることなく、一の溶液タンクに溶液を補給することが可能となる。また、水道栓と接続する必要がないので、事務所等の水道栓が存在しない場所でも容易に設置することができるとともに、水漏れのおそれが少ない。
【図面の簡単な説明】
【００１７】
【図１】本発明の実施の形態に係る紙処理装置の概略構成を示す模式断面図である。
【図２】本発明の実施の形態に係る紙処理装置の概略構成を示す模式図である。
【図３】本発明の実施の形態に係る紙処理装置の圧縮部の構成を示す模式図である。
【図４】本発明の実施の形態に係る給水ポンプの切替処理の手順を示すフローチャートである。
【図５】本発明の実施の形態に係る給水ポンプの他の切替処理の手順を示すフローチャートである。
【図６】本発明の実施の形態に係る紙処理装置のインジケータの例示図である。
【発明を実施するための形態】
【００１８】
以下に、本発明の実施の形態に係る紙処理装置について、その実施の形態を示す図面に基づいて説明する。図１は、本発明の実施の形態に係る紙処理装置の概略構成を示す模式断面図である。図１に示すように本実施の形態に係る紙処理装置３０は、廃紙投入部４０、溶解部５０、圧縮部６０で構成されている。
【００１９】
廃紙投入部４０は、多数の廃紙が投入され、一定量ごとに下方に設けてある溶解部５０へと誘導される。本実施の形態では、廃紙を溶解する溶液として水（普通水）を用いている。
【００２０】
溶解部５０は、溶液（水）が貯留された溶解槽内に廃紙を誘導し、撹拌羽根を回転させることにより廃紙を溶解する。図２は、本発明の実施の形態に係る紙処理装置３０の概略構成を示す模式図である。
【００２１】
図２に示すように、本実施の形態に係る紙処理装置３０は、廃紙投入部４０に投入されている廃紙を、ガイド４６を介して一定量ずつ溶解槽５１に貯留されている水５２の中へ沈下させる。水５２の水位は水位センサ５５により常時確認されており、貯留されている水５２が少なくなった場合には、給水タンク（溶液タンク）５６ａ（５６ｂ）に貯留されている予備水を溶解槽５１に給水する。
【００２２】
溶解槽５１に投入された廃紙は、撹拌モータ５４で駆動される撹拌羽根５３で撹拌される。撹拌により、繊維が切断されない状態で水５２中に繊維質が混濁した溶解液は、吸い込みカバー５９を介して主ポンプ７１へと送られる。吸い込みカバー５９は、複数の穴部を有するプレートであり、十分に溶解していない廃紙が存在する場合には、吸い込みカバー５９にて主ポンプ７１に入り込むことを回避する。主ポンプ７１は、圧送ホース７２を介して、溶解液を圧縮部６０へと送り出す。
【００２３】
図３は、本発明の実施の形態に係る紙処理装置３０の圧縮部６０の構成を示す模式図である。図３に示すように、圧縮部６０は、駆動モータ６１の回転により圧縮シリンダ６２を前進又は後退させるボールねじ６３を備えている。
【００２４】
また、圧送ホース７２は注入口６４に連結されており、注入口６４から注入された廃紙を溶解させた溶解液は、圧縮室６５に貯留される。駆動モータ６１の回転によりボールねじ６３を回転させ、圧縮シリンダ６２を前進させた場合、圧縮シリンダ６２により圧縮室６５に貯留された廃紙の溶解液が圧縮され、溶解液中の溶解物をブロック状にプレス成形する。プレス成形された溶解物ブロックを回収することにより、廃紙の処理を完了する。
【００２５】
本実施の形態では、二基の給水タンク（溶液タンク）５６ａ、５６ｂを備えており、それぞれ給水ポンプ（溶液ポンプ）５７ａ、５７ｂを有している。二股配管パイプ５８を介して、二基の給水タンク５６ａ、５６ｂは切替装置（切替手段）７０に接続されている。
【００２６】
切替装置７０は、いずれかの給水タンク５６の水だけを供給可能とするように、稼働する給水ポンプ５７を切り替える。例えば紙処理装置３０の起動時には、給水タンク５６ａから水を供給できるように給水ポンプ５７ａのみを稼働させ、給水タンク５６ａに貯留されている水が少なくなったことを検知した場合、給水ポンプ５７ｂを稼働させることで、給水タンク５６ｂからの給水に切り替え、給水ホース８０を介して溶解槽５１に水を供給する。
【００２７】
なお、給水タンク５６を切り替えるタイミングは、給水タンク５６ａ又は５６ｂに貯留されている水が少なくなった時期であることが好ましい。そこで、本実施の形態では、給水ポンプ５７ａ又は５７ｂが稼働してからの累積時間により給水タンク５６ａ又は５６ｂ内に貯留されている水の量を推定している。
【００２８】
図４は、本発明の実施の形態に係る給水ポンプ５７の切替処理の手順を示すフローチャートである。給水ポンプ５７の切替処理は、切替装置７０に内蔵されているＣＰＵ等のプロセッサが実行する。
【００２９】
切替装置７０は、水位センサ５５から溶解槽５１の水位を取得する（ステップＳ４０１）。切替装置７０は、溶解槽５１の水位が第１の所定値より低いか否かを判断する（ステップＳ４０２）。
【００３０】
切替装置７０が、溶解槽５１の水位が第１の所定値以上であると判断した場合（ステップＳ４０２：ＮＯ）、切替装置７０は、処理をステップＳ４０１へ戻して上述の処理を繰り返す。切替装置７０が、溶解槽５１の水位が第１の所定値より低いと判断した場合（ステップＳ４０２：ＹＥＳ）、切替装置７０は、一の給水ポンプへ稼働指示を送信する（ステップＳ４０３）。例えば給水ポンプ５７ａに稼働指示を送信することにより、給水タンク５６ａから水が供給される。
【００３１】
切替装置７０は、一の給水ポンプが稼働すると同時に、内蔵するタイマにより計時を開始する（ステップＳ４０４）。切替装置７０は、溶解槽５１の水位が第２の所定値を超えたか否かを判断する（ステップＳ４０５）。ここで、第２の所定値は、第１の所定値よりも大きい値であり、紙処理を効率よく実行することが可能な水位を示している。
【００３２】
切替装置７０が、溶解槽５１の水位が第２の所定値を超えたと判断した場合（ステップＳ４０５：ＹＥＳ）、切替装置７０は、処理をステップＳ４０１へ戻して上述の処理を繰り返す。切替装置７０が、溶解槽５１の水位が第２の所定値以下であると判断した場合（ステップＳ４０５：ＮＯ）、切替装置７０は、所定時間が経過したか否かを判断する（ステップＳ４０６）。なお、ここでいう所定時間は、給水ポンプ５７が稼働している累積時間を意味する。
【００３３】
切替装置７０が、所定時間が経過していないと判断した場合（ステップＳ４０６：ＮＯ）、切替装置７０は、処理をステップＳ４０５へ戻して上述した処理を繰り返す。切替装置７０が、所定時間が経過したと判断した場合（ステップＳ４０６：ＹＥＳ）、切替装置７０は、他の給水ポンプへ稼働指示を送信する（ステップＳ４０７）。例えば給水ポンプ５７ｂに稼働指示を送信することにより、給水タンク５６ｂから水が供給される。
【００３４】
切替装置７０は、他の給水ポンプによる給水が開始されると同時に、計時をリセットして、再度０から計時を開始し（ステップＳ４０８）、処理をステップＳ４０５へ戻して上述の処理を繰り返す。
【００３５】
このように、給水ポンプ５７が稼働してからの累積時間により給水タンク５６内に貯留されている水の量を推定しても良いし、液面センサを別途設けることにより、給水ポンプ５７の切替タイミングを決定しても良い。図５は、本発明の実施の形態に係る給水ポンプ５７の他の切替処理の手順を示すフローチャートである。給水ポンプ５７の切替処理は、切替装置７０に内蔵されているＣＰＵ等のプロセッサが実行する。
【００３６】
切替装置７０は、水位センサ５５から溶解槽５１の水位を取得する（ステップＳ５０１）。切替装置７０は、溶解槽５１の水位が第１の所定値より低いか否かを判断する（ステップＳ５０２）。
【００３７】
切替装置７０が、溶解槽５１の水位が第１の所定値以上であると判断した場合（ステップＳ５０２：ＮＯ）、切替装置７０は、処理をステップＳ５０１へ戻して上述の処理を繰り返す。切替装置７０が、溶解槽５１の水位が第１の所定値より低いと判断した場合（ステップＳ５０２：ＹＥＳ）、切替装置７０は、一の給水ポンプへ稼働指示を送信する（ステップＳ５０３）。例えば給水ポンプ５７ａに稼働指示を送信することにより、給水タンク５６ａから水が供給される。
【００３８】
切替装置７０は、一の給水ポンプが稼働すると同時に、一の給水タンクの水位を、液面高さを検知する液面センサ５６１から取得する（ステップＳ５０４）。切替装置７０は、溶解槽５１の水位が第２の所定値を超えたか否かを判断する（ステップＳ５０５）。ここで、第２の所定値は、第１の所定値よりも大きい値であり、紙処理を効率よく実行することが可能な水位を示している。
【００３９】
切替装置７０が、溶解槽５１の水位が第２の所定値を超えたと判断した場合（ステップＳ５０５：ＹＥＳ）、切替装置７０は、処理をステップＳ５０１へ戻して上述の処理を繰り返す。切替装置７０が、溶解槽５１の水位が第２の所定値以下であると判断した場合（ステップＳ５０５：ＮＯ）、切替装置７０は、給水タンク５６の水位（液面高さ）が第３の所定値より小さい（下回る）か否かを判断する（ステップＳ５０６）。
【００４０】
切替装置７０が、給水タンク５６の水位（液面高さ）が第３の所定値以上であると判断した場合（ステップＳ５０６：ＮＯ）、切替装置７０は、処理をステップＳ５０５へ戻して上述した処理を繰り返す。切替装置７０が、給水タンク５６の水位（液面高さ）が第３の所定値より小さい（下回る）と判断した場合（ステップＳ５０６：ＹＥＳ）、切替装置７０は、他の給水ポンプへ稼働指示を送信する（ステップＳ５０７）。例えば給水ポンプ５７ｂに稼働指示を送信することにより、給水タンク５６ｂから水が供給される。
【００４１】
切替装置７０は、他の給水ポンプによる水の供給が開始されると同時に、他の給水タンクの水位を、他の給水タンクに設けてある液面センサ５６１から水位を取得し（ステップＳ５０８）、処理をステップＳ５０５へ戻して上述の処理を繰り返す。
【００４２】
どの給水タンク５６から水が供給されているかをユーザに通知するために、インジケータを備えることが好ましい。図６は、本発明の実施の形態に係る紙処理装置３０のインジケータの例示図である。
【００４３】
図６では、本実施の形態に係る紙処理装置３０の下部を示す部分正面図を示している。図６に示すように、本実施の形態に係る紙処理装置３０は、２基の給水タンク５６ａ、５６ｂを紙処理装置３０の下部に配しており、開閉扉９１、９２を開くことにより、給水タンク５６ａ、５６ｂを取り外して、水を補給することができる。
【００４４】
例えば給水タンク５６ａから水が供給されている場合、給水タンク５６ａ側の青色インジケータ９３を点灯させ、赤色インジケータ９４を消灯させる。給水タンク５６ａを取り外し、再度取り付けた場合も同様に、給水タンク５６ａ側の青色インジケータ９３を点灯させ、赤色インジケータ９４を消灯させる。なお、インジケータは、ＬＥＤ等で構成されている。
【００４５】
そして、給水タンク５６ｂから水が供給されるように切り替えられた場合、給水タンク５６ａ側の青色インジケータ９３を消灯させ、赤色インジケータ９４を点灯させる。そして、同時に給水タンク５６ｂ側の青色インジケータ９５を点灯させ、赤色インジケータ９６を消灯させる。これにより、水を補給する必要のある給水タンクの存否が目視で確認でき、補給された時点で青色インジケータが点灯するので、紙処理装置３０を停止させることなく紙処理を続行することが可能となる。
【００４６】
以上のように本実施の形態によれば、一の溶液タンクに貯留されている溶液の量が少なくなった場合には、他の溶液タンクに切り替えることができ、紙処理を停止させることなく、一の溶液タンクに溶液を補給することが可能となる。また、水道栓と接続する必要がないので、事務所等の水道栓が存在しない場所でも容易に設置することができるとともに、漏水のおそれが少ない。
【００４７】
なお、本発明に係る紙処理装置３０は、本発明の趣旨を逸脱しない範囲において上記実施の形態に種々の変更を付加した形態で実施することが可能である。例えばインジケータの構成は上記実施例に限定されるものではなく、給水タンク５６の状態を判別できる仕様であれば特に限定されるものではない。また、溶液としても水が一番低コストであるが、用途に応じて水以外の溶液を用いても良いことは言うまでもない。
【符号の説明】
【００４８】
３０  紙処理装置
４０  廃紙投入部
５０  溶解部
５１  溶解槽
５３  撹拌羽根
５６、５６ａ、５６ｂ  給水タンク（溶液タンク）
５７、５７ａ、５７ｂ  給水ポンプ（溶液ポンプ）
６０  圧縮部
７０  切替装置（切替手段）
５６１  液面センサ
【図１】
2017176983.tif 000003
【図２】
2017176983.tif 000004
【図３】
2017176983.tif 000005
【図４】
2017176983.tif 000006
【図５】
2017176983.tif 000007
【図６】
2017176983.tif 000008